(57)【要約】      （修正有）【課題】既存のネットフェンスに対しても簡単かつ迅速に電線を張設できるとともに、獣類の種類や柵の高さに応じて、電線の張設位置を自在に調節することができる獣類防除用電線張設具を提供する。【解決手段】電線支持ポール６を上方側で支持し固定する上方固定具２と、下方側で支持し固定する下方固定具３とを有し、上方固定具２は、電線支持ポール６を挿通させるコイル状挿通部２１と、コイル状挿通部２１の両端を略Ｖ字形状に延出させ、その内方に縮閉または外方に拡開させたとき、コイル状挿通部２１の弾性力によってネットフェンス５に対する掛止力を付与する一対の掛止アーム部２２と、各掛止アーム部２２の先端に形成されてネットフェンス５に掛止するフック部２３とを有する。【選択図】図２
2011010568.tif 000002
【特許請求の範囲】
【請求項１】
獣類防除用の電線をネットフェンスから張り出して張設するために、前記電線を支持する電線支持ポールを前記ネットフェンスに設置するための獣類防除用電線張設具であって、
前記電線支持ポールを上方側で支持し固定する上方固定具と、前記電線支持ポールを下方側で支持し固定する下方固定具とを有しており、
前記上方固定具は、前記電線支持ポールを挿通させるコイル状のコイル状挿通部と、
このコイル状挿通部の両端を略Ｖ字形状を構成するように延出させているとともに、その略Ｖ字形状の内方に縮閉または外方に拡開させたとき、前記コイル状挿通部の弾性力によって前記ネットフェンスに対する掛止力を付与する一対の掛止アーム部と、
これら各掛止アーム部の先端に形成されて前記ネットフェンスに掛止するフック部と
を有する獣類防除用電線張設具。
【請求項２】
請求項１において、前記コイル状挿通部は、前記電線支持ポールを遊挿しうる内径に形成されているとともに、前記フック部をそれぞれ前記ネットフェンスに掛止したときに縮径して前記電線支持ポールを締め付ける獣類防除用電線張設具。
【請求項３】
請求項１または請求項２において、前記各フック部は、略Ｖ字形状を構成する各掛止アームの外側に向けて開口された略Ｕ字形状に形成されている獣類防除用電線張設具。
【請求項４】
請求項１から請求項３のいずれかにおいて、前記下方固定具は、
前記電線支持ポールを挿通させるコイル状の下方コイル状挿通部と、
この下方コイル状挿通部の両端を略反対方向に延出させているとともに、前記下方コイル状挿通部を縮径する方向に変形させたとき、前記下方コイル状挿通部の弾性力によって前記ネットフェンスに対する掛止力を付与する一対の下方掛止アーム部と、
各下方掛止アーム部の先端に形成されて前記ネットフェンスに掛止する下方フック部と
を有する獣類防除用電線張設具。
【請求項５】
請求項４において、前記下方コイル状挿通部は、前記電線支持ポールを遊挿しうる内径に形成されているとともに、前記下方フック部をそれぞれ前記ネットフェンスに掛止したときに縮径して前記電線支持ポールを締め付ける獣類防除用電線張設具。
【請求項６】
請求項４または請求項５において、前記各下方フック部は、前記下方掛止アーム部の軸線方向に対して、一方は上方向に略垂直に折り曲げられ、他方は下方向に略垂直に折り曲げられて、かつ、それぞれ同方向に向けて略Ｕ字形状に開口されている獣類防除用電線張設具。
【発明の詳細な説明】
【技術分野】
【０００１】
本発明は、サルやイノシシ、クマ、シカ等の獣類を防除するネットフェンスに、電気ショックを与えるための電線を張り出して張設する獣類防除用電線張設具に関するものである。
【背景技術】
【０００２】
従来、サルやイノシシ等の獣類を防除するための技術が提案されている。例えば、特開平８−１１２０５５号公報には、導電材によって形成されている柵本体と、上記柵本体の上縁に沿って該柵本体の上方又は側方に張られ且つ該柵本体とは絶縁されている複数本の裸電線と、上記裸電線に衝撃電圧をかける電源装置とを備えている電気柵が開示されている（特許文献１）。
【先行技術文献】
【特許文献】
【０００３】
【特許文献１】特開平８−１１２０５５号公報
【発明の概要】
【発明が解決しようとする課題】
【０００４】
しかしながら、特許文献１に記載された発明においては、柵本体に対して予め定められた位置や高さに裸電線を取り付けるように構成されている。このため、獣類の種類や柵の高さに応じて、電線の張設位置を調節することができないという問題がある。特にサル等は知能も身体能力も高いため、電線の張設位置に細心の注意が必要であるが、従来の製品では使い勝手のよいものがない。また、特許文献１に係る発明では電気柵を構成する部品数や固定箇所が多いため、設置作業に時間と手間がかかるという問題もある。
さらに、引用文献１に係る発明は、別途、電線を既存のネットフェンスに後付けで張設することを想定していない。既存のネットフェンスには電線が取り付けられていないものも多数存在しているところ、前記特許文献１に係る発明では、そのような既存のネットフェンスに電線を張設させるニーズに応えることができないという問題もある。
【０００５】
本発明は、このような問題点を解決するためになされたものであって、既存のネットフェンスに対しても簡単かつ迅速に電線を張設できるとともに、獣類の種類や柵の高さに応じて、電線の張設位置を自在に調節することができる獣類防除用電線張設具を提供することを目的としている。
【課題を解決するための手段】
【０００６】
本発明に係る獣類防除用電線張設具は、獣類防除用の電線をネットフェンスから張り出して張設するために、前記電線を支持する電線支持ポールを前記ネットフェンスに設置するための獣類防除用電線張設具であって、前記電線支持ポールを上方側で支持し固定する上方固定具と、前記電線支持ポールを下方側で支持し固定する下方固定具とを有しており、前記上方固定具は、前記電線支持ポールを挿通させるコイル状のコイル状挿通部と、このコイル状挿通部の両端を略Ｖ字形状を構成するように延出させているとともに、その略Ｖ字形状の内方に縮閉または外方に拡開させたとき、前記コイル状挿通部の弾性力によって前記ネットフェンスに対する掛止力を付与する一対の掛止アーム部と、これら各掛止アーム部の先端に形成されて前記ネットフェンスに掛止するフック部とを有している。
【０００７】
また、本発明において、前記コイル状挿通部は、前記電線支持ポールを遊挿しうる内径に形成されているとともに、前記フック部をそれぞれ前記ネットフェンスに掛止したときに縮径して前記電線支持ポールを締め付けるようにしてもよい。
【０００８】
さらに、本発明において、前記各フック部は、略Ｖ字形状を構成する各掛止アーム部の外側に向けて開口された略Ｕ字形状に形成されていてもよい。
【０００９】
また、本発明において、前記下方固定具は、前記電線支持ポールを挿通させるコイル状の下方コイル状挿通部と、この下方コイル状挿通部の両端を略反対方向に延出させているとともに、前記下方コイル状挿通部を縮径する方向に変形させたとき、前記下方コイル状挿通部の弾性力によって前記ネットフェンスに対する掛止力を付与する一対の下方掛止アーム部と、各下方掛止アーム部の先端に形成されて前記ネットフェンスに掛止する下方フック部とを有していてもよい。
【００１０】
さらに、本発明において、前記下方コイル状挿通部は、前記電線支持ポールを遊挿しうる内径に形成されているとともに、前記下方フック部をそれぞれ前記ネットフェンスに掛止したときに縮径して前記電線支持ポールを締め付けるようにしてもよい。
【００１１】
また、本発明において、前記各下方フック部は、前記下方掛止アーム部の軸線方向に対して、一方は上方向に略垂直に折り曲げられ、他方は下方向に略垂直に折り曲げられて、かつ、それぞれ同方向に向けて略Ｕ字形状に開口されていてもよい。
【発明の効果】
【００１２】
本発明によれば、既存のネットフェンスに対しても簡単かつ迅速に電線を張設できるとともに、獣類の種類や柵の高さに応じて、電線の張設位置を自在に調節することができる。
【図面の簡単な説明】
【００１３】
【図１】本発明に係る獣類防除用電線張設具を用いて電線を張設したネットフェンスを示す全体図である。
【図２】本実施形態の獣類防除用電線張設具を用いて電線張設用ポールをネットフェンスに取り付けた状態を示す正面図である。
【図３】本実施形態の上方固定具を示す斜視図である。
【図４】本実施形態の下方固定具を示す斜視図である。
【図５】本実施形態の獣類防除用電線張設具を用いて電線張設用ポールをネットフェンスに取り付けた状態を示す側面図である。
【図６】本発明に係る上方固定具の他の実施形態を示す斜視図である。
【図７】他の実施形態の上方固定具を用いて電線張設用ポールをネットフェンスに取り付けた状態を示す正面図である。
【図８】本実施形態の獣類防除用電線張設具を用いて電線張設用ポールを菱形状のネットフェンスに取り付けた状態を示す正面図である。
【発明を実施するための形態】
【００１４】
以下、本発明に係る獣類防除用電線張設具１の一実施形態について図面を用いて説明する。
【００１５】
図１および図２に示すように、本実施形態の獣類防除用電線張設具１は、獣類防除用の電線４をネットフェンス５から張り出して張設するために、当該電線４を支持するための電線支持ポール６をネットフェンス５に設置するためのものである。なお、本実施形態において、ネットフェンス５は、複数本の金属ワイヤが縦横方向に直交した状態で固定されている。また、電線支持ポール６は、グラスファイバーによって棒状に形成されており、その先端部には、電線を支持するための電線支持クリップ７が設けられている。
【００１６】
以上において、本実施形態の獣類防除用電線張設具１は、図１および図２に示すように、電線支持ポール６を上方側で支持し固定する上方固定具２と、電線支持ポール６を下方側で支持し固定する下方固定具３とから構成されている。
【００１７】
上方固定具２は、図１から図３に示すように、一本の金属線に塑性加工を施して形成されており、主として、コイル状に形成されたコイル状挿通部２１と、このコイル状挿通部２１の両端から延出された一対の掛止アーム部２２，２２と、各掛止アーム部２２，２２の先端に形成された一対のフック部２３，２３とを有している。以下、各構成部について詳細に説明する。
【００１８】
コイル状挿通部２１は、電線支持ポール６を挿通させて保持する役割と、掛止アーム部２２に所定の弾性力を持たせる役割とを果たすものである。本実施形態において、コイル状挿通部２１は、図３に示すように、金属線を螺旋状に巻回して構成されている。また、コイル状挿通部２１の内径は、電線支持ポール６を遊挿しうる大きさに形成されており、かつ、フック部２３をそれぞれネットフェンス５に掛止したときに電線支持ポール６を締め付けられる大きさに形成されている。また、コイル状挿通部２１は、各掛止アーム部２２，２２を内方に縮閉させたとき、ネットフェンス５に対する掛止力を発生させる弾性力を有している。
【００１９】
掛止アーム部２２は、電線支持ポール６をネットフェンス５に対して傾斜状態で保持する役割を果たすものである。本実施形態において、一対の掛止アーム部２２，２２は、図２および図３に示すように、コイル状挿通部２１の両端から略Ｖ字形状を構成するように外方向へ延出されている。そして、本実施形態では、この略Ｖ字形状の内方に縮閉させたとき、コイル状挿通部２１の弾性力によってネットフェンス５に対する掛止力を付与するようになっている。
【００２０】
具体的には、図３において、各掛止アーム部２２，２２を内方に縮閉する方向（図３の矢印Ａ）に変形させると、各掛止アーム部２２，２２は、外方に拡開する方向（図３の矢印Ｂ）へ復元しようとすることで掛止力を発生するようになっている。
【００２１】
また、本実施形態において、各掛止アーム部２２，２２は、その先端に設けられた各フック部２３，２３の間隔が、ネットフェンス５の網目間隔よりも長くなるように形成されている。これにより、後述するように、各フック部２３，２３をネットフェンス５に掛止させたとき、コイル状挿通部２１がネットフェンス５から離隔した位置に配置されるため、電線支持ポール６をネットフェンス５に対して傾斜させられるようになっている。
【００２２】
フック部２３は、上方固定具２をネットフェンス５に着脱自在に掛止するためのものである。本実施形態において、各フック部２３，２３は、図２および図３に示すように、各掛止アーム部２２，２２の先端に設けられており、略Ｖ字形状の外側に向けて開口された略Ｕ字形状に形成されている。
【００２３】
一方、下方固定具３は、電線支持ポール６をより強固にネットフェンス５に固定するためのものであり、上方固定具２と一部類似した構成を有している。具体的には、図２および図４に示すように、一本の金属線に塑性加工を施して形成されており、主として、コイル状に形成された下方コイル状挿通部３１と、この下方コイル状挿通部３１の両端から延出された一対の下方掛止アーム部３２，３２と、各下方掛止アーム部３２，３２の先端に設けられた下方フック部３３，３３とを有している。
【００２４】
本実施形態において、下方固定具３が、上方固定具２と異なる点は、下方掛止アーム部３２の延出方向(延出角度)および長さが異なる点と、下方フック部３３の向きが異なる点である。以下、各構成部について詳細に説明する。
【００２５】
下方コイル状挿通部３１は、電線支持ポール６を挿通させて保持する役割と、下方掛止アーム部３２に所定の弾性力を持たせる役割とを果たすものである。本実施形態において、下方コイル状挿通部３１は、図４に示すように、金属線を螺旋状に巻回して構成されている。また、下方コイル状挿通部３１の内径は、電線支持ポール６を遊挿しうる大きさに形成されており、かつ、下方フック部３３をそれぞれネットフェンス５に掛止したときに電線支持ポール６を締め付ける大きさに形成されている。また、下方コイル状挿通部３１は、縮径方向に変形させたとき、ネットフェンス５に対する掛止力を発生させる弾性力を有している。
【００２６】
下方掛止アーム部３２は、電線支持ポール６の下端をネットフェンス５に当接させた状態で固定する役割を果たすものである。本実施形態において、一対の下方掛止アーム部３２，３２は、図２および図４に示すように、下方コイル状挿通部３１の両端から略反対方向に延出されている。この点で、上方固定具２の略Ｖ字形状よりも広角度の方向に延出されている。そして、下方コイル状挿通部３１を縮径する方向に変形させたとき、下方コイル状挿通部３１の弾性力によってネットフェンス５に対する掛止力を付与するようになっている。
【００２７】
具体的には、図４において、下方コイル状挿通部３１が縮径する方向（図４の矢印Ａ）に各下方掛止アーム部３２，３２を変形させると、各下方掛止アーム部３２，３２は、下方コイル状挿通部３１が拡径する方向（図４の矢印Ｂ）へ復元しようとすることで掛止力を発生するようになっている。
【００２８】
また、本実施形態において、各下方掛止アーム部３２，３２は、その先端に設けられた各下方フック部３３，３３の間隔が、ネットフェンス５の網目間隔よりも短くなるように形成されている。これにより、各下方フック部３３，３３は、ネットフェンス５の１つの網目を構成する水平方向の金属ワイヤに掛止されるようになっている。
【００２９】
下方フック部３３は、本実施形態の下方固定具３をネットフェンス５に着脱自在に掛止するためのものである。本実施形態において、各下方フック部３３，３３は、図２および図４に示すように、各下方掛止アーム部３２，３２の先端に設けられている。そして、各下方フック部３３，３３は、下方掛止アーム部３２，３２の軸線方向に対して、一方は上方向に略垂直に折り曲げられ、他方は下方向に略垂直に折り曲げられて、かつ、それぞれ同方向に向けて略Ｕ字形状に開口されている。
【００３０】
つぎに、本発明に係る上方固定具２および下方固定具３からなる獣類防除用電線張設具１の作用について、図面を用いて説明する。
【００３１】
本実施形態では、上方固定具２および下方固定具３を用いて、電線支持ポール６をネットフェンス５に取り付け、電線４を張設する場合について説明する。まず、図１および図２に示すように、電線支持ポール６の上方側に上方固定具２のコイル状挿通部２１を挿通させるとともに、電線支持ポール６の下方側に下方固定具３の下方コイル状挿通部３１を挿通させる。このとき、コイル状挿通部２１および下方コイル状挿通部３１は、電線支持ポール６をスライド自在に挿通させられるため、電線４を支持する高さや位置を容易に調節できる。
【００３２】
つぎに、上方固定具２の各フック部２３，２３および下方固定具３の各下方フック部３３，３３をそれぞれネットフェンス５に掛止する。具体的には、上方固定具２については、まず、ネットフェンス５を構成する縦方向の金属ワイヤに、一方のフック部２３を掛止する。そして、各掛止アーム部２２，２２を内方へ縮閉する方向（図３中の矢印Ａ）に弾性変形させながら、前記金属ワイヤと互いに隣り合う金属ワイヤに他方のフック部２３を掛止させる。このとき、各フック部２３，２３は、それぞれ略Ｖ字形状の外側に開口された略Ｕ字形状に形成されているため、掛止し易く作業が効率的に進められる。
【００３３】
つづいて、各フック部２３，２３を掛止した後、各掛止アーム部２２，２２に付与していた外力を解放する。これにより、コイル状挿通部２１が、各掛止アーム部２２，２２を外方へ拡開する方向（図３中の矢印Ｂ）へ復元させるため、各フック部２３，２３が金属ワイヤ側に強く押圧されて掛止力を発揮する。したがって、外力が加わらない限り、各フック部２３，２３はネットフェンス５から外れてしまうことがない。また、各フック部２３，２３を掛止させた状態では、コイル状挿通部２１が縮径し、電線支持ポール６を強く締め付ける。このため、電線支持ポール６が、自重や電線４の重さ、獣類の突進等によってずれ落ちてしまうのを防止する。
【００３４】
また、各フック部２３，２３を掛止させた状態では、図５に示すように、各掛止アーム部２２，２２が側方へ突出してコイル状挿通部２１をネットフェンス５から離隔させる。このため、下方固定具３によって電線支持ポール６の下方をネットフェンス５に固定すると、電線支持ポール６が傾斜し、いわゆる「しのび返し」を構成する。これにより、サルやイノシシ等の獣類に圧迫感を与えられるし、ネットフェンス５をよじ登ってきたサルを上部の電線４によってはね返すこともできる。したがって、ネットフェンス５を越えにくくするとともに、低いネットフェンス５でも、獣類に対して十分な防除効果を奏する。
【００３５】
さらに、本実施形態では、上方固定具２と下方固定具３との取り付け位置を調節することで、電線支持ポール６の傾斜角度を変えられる。具体的には、上方固定具２と下方固定具３とを近づけると、電線支持ポール６の傾斜角が大きくなり、逆に離すと傾斜角が小さくなる。このため、獣類の種類や柵の高さに応じて、電線支持ポール６の傾斜角を自在に変更することができる。
【００３６】
一方、下方固定具３については、まず、図１および図２に示すように、ネットフェンス５を構成する横方向の金属ワイヤに、一方の下方フック部３３を掛止する。そして、下方コイル状挿通部３１が縮径する方向（図４中の矢印Ａ）に弾性変形させながら、他方の下方フック部３３を同一の金属ワイヤに掛止させた後、各下方掛止アーム部３２，３２に付与していた外力を解放する。
【００３７】
これにより、下方コイル状挿通部３１が拡開する方向（図４中の矢印Ｂ）へ復元するため、各下方フック部３３，３３が金属ワイヤ側に強く押圧されて掛止力を発揮する。したがって、外力が加わらない限り、各下方フック部３３，３３はネットフェンス５から外れてしまうことがない。また、本実施形態では、各下方フック部３３，３３が、各下方掛止アーム部３２，３２の軸線方向に関して互いに上下方向に設けられるため、特に上下方向の外力に対して極めて外れにくい。
【００３８】
また、各下方フック部３３，３３を掛止させた状態では、下方コイル状挿通部３１が縮径し、電線支持ポール６を強く締め付ける。このため、上方固定具２のコイル状挿通部２１による締め付けと相俟って、電線支持ポール６が、自重および電線４の重さ等によってずれ落ちるのを防止する。
【００３９】
なお、本実施形態では、電線支持ポール６を簡単かつ強固にネットフェンス５に固定するため、下方固定具３を上記構成にしているが、この構成に限定されるものではない。例えば、上方固定具２と同様の構成を有し、掛止アーム部２２だけを短くしたものを下方固定具３として用いてもよい。これによれば、獣類防除用電線張設具１と同様の作業で取り付けられるとともに、電線支持ポール６を傾斜させられる。あるいは、単に、電線支持ポール６の下方を針金等を用いてネットフェンス５にくくり付けて固定しても下方固定具３に必要な機能を果たしうる。
【００４０】
以上のような電線支持ポール６の取り付け作業を繰り返すことにより、図１に示すように、ネットフェンス５に対して所定の網目間隔おきに電線支持ポール６が固定される。そして、各電線支持ポール６の先端近傍に取り付けられている電線支持クリップ７に、電線４を通して支持させる。これにより、電線４が簡単かつ迅速にネットフェンス５から張り出した状態で張設される。また、一旦、張設した後でも、フック部２３および下方フック部３３の掛止を外すと、コイル状挿通部２１および下方コイル状挿通部３１の締め付けが緩むため、電線支持ポール６を簡単に上下にスライドでき、張設位置や高さを適宜調節することができる。
【００４１】
さらに、電線４を撤去する場合には、掛止アーム部２２および下方掛止アーム部３２を軽く変形させるだけで、容易に上方固定具２および下方固定具３を取り外すことができる。このため、雪の降る地域等のように、季節に応じて電線４の張設作業と撤去作業を繰り返す地域においては、特に、好適である。
【００４２】
また、本実施形態では、１本の電線支持ポール６につき１つの上部固定具２を取り付けているが、必要に応じて複数の上部固定具２を取り付けることもできる。これによれば、電線４を複数段に張設することができるため、より電気柵として高い威力を発揮することができる。このように適宜、簡単に電気柵の段数を増減させられるメリットも有する。
【００４３】
以上のような本実施形態によれば、以下のような効果を奏する。
１．獣類の種類や柵の高さに応じて、電線４の張設位置・高さを自在に調節することができる。
２．電線４をネットフェンス５から張り出して張設することで、いわゆる「しのび返し」になるため獣類の防除効果を向上させることができ、より低いネットフェンス５でも高い防除効果を発揮させられる。
３．既存のネットフェンス５に対しても簡単かつ迅速に電線４を後から取り付けることができる。
４．季節に応じて、簡単かつ迅速に電線４を張設したり、撤去することができる。
５．上部固定具２を複数取り付ければ、簡単に複数段の電気柵を構成することができ、より高い防除効果が得られる。
【００４４】
なお、本発明に係る獣類防除用電線張設具１は、前述した実施形態に限定されるものではなく、適宜変更することができる。
【００４５】
例えば、上述した本実施形態では、外方に拡開する弾性力を有する上方固定具２について説明したが、この構成に限定されるものではなく、コイル状挿通部２１の弾性力によって掛止アーム部２２がネットフェンス５に対する掛止力を付与する構成であればよい。例えば、図６に示すように、各掛止アーム部２２，２２をクロスさせるようにしてコイル状挿通部２１から延出し、内方に縮閉する弾性力によって各フック部２３，２３をネットフェンス５に掛止する構成にしてもよい。各フック部２３，２３は、各掛止アーム部２２，２２に対して下方に折り曲げられるとともに、各掛止アーム部２２，２２の軸線方向に向けて開口する略Ｕ字形状に形成されている。
【００４６】
上記のように構成された上方固定具８を取り付ける場合には、例えば、図７に示すように、一方のフック部２３を縦方向の金属ワイヤの外側位置において横方向の金属ワイヤに掛止する。そして、略Ｖ字形状の外方（図６中の矢印Ａ）に拡開するように弾性変形させながら、他方のフック部２３も同様に、縦方向の金属ワイヤの外側位置において横方向の金属ワイヤに掛止する。
【００４７】
そして、掛止アーム部２２に付与していた外力を解放すると、コイル状挿通部２１が、各掛止アーム部２２，２２を縮閉方向（図６中の矢印Ｂ）へ復元させるため、各フック部２３，２３が金属ワイヤの外側から内側にかけて強く押圧されて掛止力を発揮する。これにより、上述した本実施形態と同様の作用効果を奏する。
【００４８】
また、上述した本実施形態では、金属ワイヤが縦横方向に直交したネットフェンス５に取り付ける場合について説明したが、図８に示すように、金属ワイヤが斜めに交差する菱形状のネットフェンス５にも取り付けて使用することができる。この場合、電線支持ポール６も斜めになるため、この状態で電線４を略水平に支持可能な電線支持クリップ７を使用すればよい。
【符号の説明】
【００４９】
１  獣類防除用電線張設具
２  上方固定具
３  下方固定具
４  電線
５  ネットフェンス
６  電線支持ポール
７  電線支持クリップ
８  上方固定具（他の実施形態）
２１  コイル状挿通部
２２  掛止アーム部
２３  フック部
３１  下方コイル状挿通部
３２  下方掛止アーム部
３３  下方フック部
【図１】
2011010568.tif 000003
【図２】
2011010568.tif 000004
【図３】
2011010568.tif 000005
【図４】
2011010568.tif 000006
【図５】
2011010568.tif 000007
【図６】
2011010568.tif 000008
【図７】
2011010568.tif 000009
【図８】
2011010568.tif 000010